(57)【特許請求の範囲】
【請求項１】
アスファルト舗装された地表層へ水分を供給する構造であって、
舗装材であるアスファルトの内部に埋設された給水管と、該給水管から前記舗装材の表面へ延在するよう設けられた導水性シート部材とを備え、
前記舗装材に形成された溝内に前記給水管が配管され、前記導水性シート部材が前記溝の内壁に沿って配設された後、前記溝に前記舗装材であるアスファルトと同質のアスファルト混合物が充填されてなることを特徴とする舗装された地表層への水供給構造。
【請求項２】
舗装された地表層へ水分を供給する構造であって、
舗装材の内部に埋設された給水管と、この給水管を巻くように設置された導水性シート部材とを備え、
前記給水管及び前記導水性シート部材は、前記舗装材の施工時に、前記導水性シート部材が前記給水管から前記舗装材の表面へ延在するように、前記舗装材の内部に埋設されることを特徴とする舗装された地表層への水供給構造。
【請求項３】
前記導水性シート部材の、前記給水管から給水されない端部が、前記舗装材に形成された溝に垂下されていることを特徴とする請求項１または２記載の地表層への水供給構造。
【請求項４】
アスファルト舗装された地表層へ水分を供給するための構造を施工する方法であって、舗装材であるアスファルトに溝を形成し、この溝に給水管を配管し、導水性シート部材を給水管から前記溝の内壁に沿って前記舗装材の表面へ延在するように配設した後、前記溝に前記舗装材であるアスファルトと同質のアスファルト混合物を充填することを特徴とする方法。
【請求項５】
舗装された地表層へ水分を供給するための構造を施工する方法であって、
舗装材の施工時に、給水管と、この給水管を巻くように設置された導水性シート部材とを、前記導水性シート部材が前記給水管から前記舗装材の表面へ延在するように、前記舗装材の内部に埋設することを特徴とする方法。
【発明の詳細な説明】
【０００１】
【発明の属する技術分野】
本発明は、球技場の地表面を砂入り人工芝とした湿潤性舗装における地表層への水供給構造に関する。
【０００２】
【従来の技術】
例えばテニスコート、その他屋外球技場などで地表面を人工芝で覆った場合、従来の天然芝に比べて地表面が乾きやすく、また日射により高温になりやすい。これを防止するための構造として、従来より、地表層へ水分を供給するための水供給構造が知られている。この水供給構造では、予め排水性のアスファルトからなる舗装材を施工し、この舗装材の表面に、導水性シート部材を介して人工芝を敷設し、さらに人工芝の間に砂を充填することで砂入り人工芝としておく。そして、砂の内部に給水管を埋設し、この給水管から給水することにより水を地表面に浸透させる。
【０００３】
【発明が解決しようとする課題】
しかしながら、給水管を埋設するにあたり、従来では、給水管の管径とほぼ同じ幅、深さの溝を掘削して給水管を埋設していた。このため、上記構造の砂入人工芝生上でテニスなどの球技を行う場合、給水管の直上でボールがバウンドした際に、他の部位に比べてボールに対する反発係数が変るため、プレーに影響が生ずる懸念があった。
【０００４】
本発明は、以上の課題を解決するものであって、その目的は、給水管の配設位置上部でのボールなどの反発係数を他の位置と同様にして、競技に影響を与えるのを防止することが可能な舗装された地表層への水供給構造およびその施工方法を提供するものである。
【０００５】
【課題を解決するための手段】
前記目的を達成するため、請求項１記載の発明は、アスファルト舗装された地表層へ水分を供給する構造であって、
舗装材であるアスファルトの内部に埋設された給水管と、該給水管から前記舗装材の表面へ延在するよう設けられた導水性シート部材とを備え、
前記舗装材に形成された溝内に前記給水管が配管され、前記導水性シート部材が前記溝の内壁に沿って配設された後、前記溝に前記舗装材であるアスファルトと同質のアスファルト混合物が充填されてなることを特徴とする。
請求項１記載の発明によれば、給水管埋設部位の上部も他部位と同じ舗装材なので、この位置でボール等の反発係数は他と同じであり、球技等の競技に支障をきたすことがない。
【０００８】
また、請求項２に記載された発明は、舗装された地表層へ水分を供給する構造であって、舗装材の内部に埋設された給水管と、この給水管を巻くように設置された導水性シート部材とを備え、前記給水管及び前記導水性シート部材は、前記舗装材の施工時に、前記導水性シート部材が前記給水管から前記舗装材の表面へ延在するように、前記舗装材の内部に埋設されることを特徴とする。
【００１１】
また、請求項３に記載された発明は、請求項１または２記載の舗装された地表層への水供給構造において、前記導水性シート部材の、前記給水管から給水されない端部が、前記舗装材に形成された溝に垂下されていることを特徴とする。
【００１２】
請求項５記載の発明によれば、導水性シート部材の端部の水が溝に自然落下するので、導水性シート部材の端部に水が停滞するのを防止することができる。
【００１３】
なお、請求項４および５記載の発明は、舗装された地表層への水供給構造の施工方法に係るものである。
【００１４】
【発明の実施の形態】
以下、本発明の好ましい実施の形態につき、添付図面を参照して詳細に説明する。図１、２は本発明の一実施形態である地表層への水供給構造を示し、図１は完成状態断面を、図２（ａ）〜（ｃ）は施工手順を示すものである。
【００１５】
図１および図２において、１は排水性のアスファルト舗装、２はアスファルト舗装１の一部に掘削された溝、３は溝２内に配管された給水管である。
【００１６】
給水管３が溝２の底部に配管された後、アスファルト舗装１と同材質のアスファルト混合物１ａにより埋め戻される。また、アスファルト舗装１の表面に敷設される導水性シート部材４は、溝２の内壁および底面に沿うように配置されている。さらに、溝２に充填されたアスファルト混合物１ａの上部に保護用シート５が配置された上で、舗装表面に人工芝６が敷設されている。そして、人工芝６のパイルの間に砂７が充填されることで、表層が砂入り人工芝として構成されている。人工芝６は、その基材が透水性を有する公知のものであって、色調としては白や赤等もある
以上の構成によれば、給水管３の内部に供給された水は、給水管３の給水部３ａから導水性シート部材４を通じてその毛管現象により上部側に浸透し、また浸透した水は表面において導水性シート部材４を通じて水平方向にも広がり、これによってパイルの隙間に充填された砂７を湿潤させ、乾燥、高温化を防止する。
【００１７】
また、溝２にはアスファルト舗装１と同質のアスファルト混合物１ａが設けられるので、給水管３の埋設部位においてボール等の反発係数が変化することがなく、球技等の競技に影響がでるのを防止できる。
【００１８】
さらに、給水管３を設置する溝２がアスファルト混合物１ａにより完全に埋められるので、給水管３の埋設部位の表面に溝の跡が浮き出るといった問題が生ずることもない。
【００１９】
図２は、上記の水供給構造の施工方法を示す。先ず、図２（ａ）に示すように、アスファルト舗装１を施工面に所定厚みで形成し、次いで図２（ｂ）に示すように、給水管３の配管位置に沿って溝２を掘削し、あるいは、アスファルト施工時に型枠などを用いて溝２を形成し、表面に敷設される導水性シート部材４を溝２内に押込むようにして配置後、給水管３を配管する。
その後、図２（ｃ）に示す如く、溝２内をアスファルト混合物１ａで舗装１と同一表面となるように埋め戻した後、溝２内の上面に保護用シート５で覆った上で、人工芝６を敷設し、砂７をパイルの間に撒きだし敷き均せば、図１に示す構造が完成することになる。
【００２０】
図３は本発明の第二実施形態を示すものである。なお、前記第一実施例と同一箇所には同一符号を援用し、要部のみを説明する。
図３においてアスファルト舗装１の内部に埋設された給水管３の外周部は導水性シート部材４で包囲されている。導水性シート部材４は、給水管３からアスファルト舗装１の表面へ延在して、地表層を覆っている。
本実施形態では、給水管３を埋設するに当り、第一実施形態のような溝２を形成することなく、排水性アスファルト１の施工時にこれを一体に埋設することにより、溝２の形成と埋め戻しの手間を省略している。
【００２１】
図４は第二実施形態の変形例を示すもので、アスファルト舗装１内に埋設された給水管３は、その外周に塩ビ製の穴あき多孔管からなる鞘管８で覆われ、鞘管８の周囲を導水性シート部材４で包囲したものである。
本例では、給水管３がアスファルト施工時の熱、圧力の影響を受け易い材質の場合に、鞘管８により給水管３を保護することができる。
【００２２】
図５は、導水性シート部材４の端部処理の構造を示す。図５に示すように、アスファルト舗装１に、カッターの刃の巾（例えば３ｍｍ程度）の溝１１を形成し、導水性シート部材４の端部４ａをこの溝１１に差し込んでいる。
したがって本実施形態では、この端部４ａの位置において水が停滞しやすい部位であっても過剰な水分は溝９側に環流されるため、この位置での過剰な湿潤が防止されることになる。これにより、過剰な湿潤に起因する植物の繁茂や汚れの可能性を低減することができる。
【００２３】
図６は図５に示す構造の変形例であり、本例では導水性シート部材４の端部４ａの位置に既存の蓋付きのＵ字形側溝１０がある場合を示している。本例において、端部４ａは側溝１０内に垂下され、その蓋１０ａにより挟持状態に固定されることで端部処理が行われる。
本例では、既存の側溝をそのまま利用できるため、端部処理がさらに簡単となる。
【００２４】
なお、上記各実施形態では、給水管３から表面層へ至る導水性シート部材４が、表面層に敷設される導水性シート部材４と一体であるものとしたが、これに限らず、給水管３からの導水性シート部材の端部が少なくともアスファルト舗装１の表面に露出し、この端部に表面側に敷設される導水性シート部材４が重ね合わされるようにしても水平方向の浸透性に問題を生ずることがない。
【００２５】
【発明の効果】
以上の説明により明らかなように、本発明による舗装された地表層への水供給構造によれば、給水管直上位置でのボールなどの反発弾性が他の位置と同様となり、球技などに支障をきたすことがない。
【図面の簡単な説明】
【図１】本発明の第一実施形態を示す断面図である。
【図２】（ａ）〜（ｃ）は同施工手順を示す断面図である。
【図３】本発明の第二実施形態を示す断面図である。
【図４】第二実施形態の変形例を示す断面図である。
【図５】導水性シート部材の端部処理の一例を示す断面図である。
【図６】図５に示す構造の変形例を示す断面図である。
【符号の説明】
１  アスファルト舗装
１ａ  アスファルト混合物
２  溝
３  給水管
４  導水性シート部材
５  保護用シート
６  人工芝
７  砂
８  鞘管
９，１１  溝
１０  側溝
【図１】
0004257047.tif 000002
【図２】
0004257047.tif 000003
【図３】
0004257047.tif 000004
【図４】
0004257047.tif 000005
【図５】
0004257047.tif 000006
【図６】
0004257047.tif 000007